【手続補正書】
【提出日】平成17年5月25日(2005.5.25)
【手続補正１】
【補正対象書類名】特許請求の範囲
【補正対象項目名】全文
【補正方法】変更
【補正の内容】
【特許請求の範囲】
【請求項１】
（Ａ）（１）テレフタル酸６０〜１００モル％とイソフタル酸、アジピン酸、アゼライン酸、ナフタレンジカルボン酸、コハク酸、シクロヘキサンジカルボン酸及びそれらの混合物からなる群から選ばれた第２の酸０〜４０モル％とを含む酸残基部分；並びに
（２）ｉ．  ジエチレングリコール０〜２０モル％；
ｉｉ．  １，４−シクロヘキサンジメタノール１０〜３５モル％；
ｉｉｉ．  ネオペンチルグリコール０〜２５モル％；
ｉｖ．  プロパンジオール０〜３０モル％；
ｖ．  １，４−ブタンジオール０〜３０モル％；及び
ｖｉ．  エチレングリコール残りのモル％
を含むジオール残基部分
を含んでなるポリエステル５０〜９９重量％と、
（Ｂ）フェノール／テトラクロロエタンの６０／４０重量部溶液１００ｍｌ中で２５℃において０．５ｇのサンプルに対して測定したインヘレント粘度が０．２〜２．０デシリットル／ｇであり且つ式：
【化１】
2004536192.tif 000001
及び
【化２】
2004536192.tif 000002
（式中、Ｒ1は、Ｃ2〜Ｃ8アルキレン若しくはオキシアルキレンからなる群の１種又はそれ以上から選ばれ、且つＲ1のモル％は８０〜１００であり；
Ｒ3は、Ｃ2〜Ｃ8アルキレン若しくはオキシルアルキレン；ハロ、Ｃ6〜Ｃ10アリール及びＣ1〜Ｃ4アルコキシからなる群から独立して選ばれた１〜４個の置換基で置換されたＣ2〜Ｃ8アルキレン若しくはオキシルアルキレン；Ｃ5〜Ｃ12シクロアルキレン；並びにハロ、Ｃ6〜Ｃ10アリール及びＣ1〜Ｃ4アルコキシからなる群から独立して選ばれた１〜４個の置換基で置換されたＣ5〜Ｃ12シクロアルキレンからなる群の１種又はそれ以上から選ばれ、且つＲ3のモル％は０〜２０であり；
Ｒ2は、Ｃ2〜Ｃ12アルキレン若しくはオキシアルキレン；ハロ、Ｃ6〜Ｃ10アリール及びＣ1〜Ｃ4アルコキシからなる群から独立して選ばれた１〜４個の置換基で置換されたＣ2〜Ｃ12アルキレン若しくはオキシルアルキレン；Ｃ5〜Ｃ10シクロアルキレン；並びにハロ、Ｃ6〜Ｃ10アリール及びＣ1〜Ｃ4アルコキシからなる群から独立して選ばれた１〜４個の置換基で置換されたＣ5〜Ｃ10シクロアルキレンからなる群の１種又はそれ以上から選ばれ、且つＲ2のモル％は３５〜９５であり；
Ｒ4は、Ｃ6〜Ｃ10アリール；ハロ、Ｃ6〜Ｃ10アリール及びＣ1〜Ｃ4アルコキシからなる群から独立して選ばれた１〜４個の置換基で置換されたＣ6〜Ｃ10アリール；Ｃ5〜Ｃ10シクロアルキレン；並びにハロ、Ｃ6〜Ｃ10アリール及びＣ1〜Ｃ4アルコキシからなる群から独立して選ばれた１〜４個の置換基で置換されたＣ5〜Ｃ10シクロアルキレンからなる群の１種又はそれ以上から選ばれ、且つＲ4のモル％は５〜６５である）
の反復単位を有する、本質的に直鎖のランダム脂肪族−芳香族コポリエステル又はその分岐鎖及び／若しくは連鎖延長コポリエステル１〜５０重量％
（前記各重量％は成分（Ａ）及び（Ｂ）の総重量に基づくものであり；成分（Ａ）のモル％は１００モル％の酸残基部分及び１００モル％のジオール残基部分に基づくものであり；成分（Ｂ）については、Ｒ1及びＲ3のモル％の和は１００であり且つＲ2及びＲ4のモル％の和は１００である）
を含んでなるポリエステルと脂肪族−芳香族コポリエステルとの配合ブレンド。
【請求項２】
成分（Ａ）の酸残基部分が、イソフタル酸アジピン酸、アゼライン酸、ナフタレンジカルボン酸及びコハク酸からなる群から選ばれた酸０〜２０モル％及びテレフタル酸８０〜１００モル％を含んでなる請求項１に記載の配合ブレンド。
【請求項３】
成分（Ａ）の酸残基部分がシクロヘキサンジカルボン酸０〜３０モル％及びテレフタル酸７０〜１００モル％を含んでなる請求項１に記載の配合ブレンド。
【請求項４】
成分（Ａ）の酸残基部分がイソフタル酸、アジピン酸、アゼライン酸、ナフタレンジカルボン酸、コハク酸及びシクロヘキサンジカルボン酸からなる群から選ばれた酸０〜１０モル％並びにテレフタル酸９０〜１００モル％を含んでなる請求項１に記載の配合ブレンド。
【請求項５】
成分（Ａ）のジオール残基部分が概算で
ｉ．      ジエチレングリコール７〜１２モル％；
ｉｉ．    １，４−シクロヘキサンジメタノール１７〜２８モル％；
ｉｉｉ．  ネオペンチルグリコール０〜２モル％；
ｉｖ．    プロパンジオール０〜２モル％；
ｖ．      １，４−ブタンジオール０〜２モル％；及び
ｖｉ．    エチレングリコール、残りのモル％
を含んでなる請求項１に記載の配合ブレンド。
【請求項６】
成分（Ａ）のジオール残基部分が１，４−シクロヘキサンジメタノール１０〜２８モル％及びジエチレングリコール７〜１２モル％を含み、残りのモル％がエチレングリコールである請求項１に記載の配合ブレンド。
【請求項７】
成分（Ｂ）において、Ｒ1がＣ2〜Ｃ8アルキレンから選ばれ、９０〜１００モル％の量で存在し；Ｒ3が０〜１０モル％の量で存在し；Ｒ2がＣ2〜Ｃ8アルキレン又はオキシアルキレンからなる群の１種又はそれ以上から選ばれ、３５〜９５モル％の量で存在し；Ｒ4がＣ6〜Ｃ10アリールからなる群の１種又はそれ以上から選ばれ、５〜６５モル％の量で存在する請求項１に記載の配合ブレンド。
【請求項８】
成分（Ｂ）において、Ｒ1がＣ2〜Ｃ4アルキレンから選ばれ、９５〜１００モル％の量で存在し；Ｒ3が０〜５モル％の量で存在し；Ｒ2がＣ2〜Ｃ6アルキレン又はＣ2オキシアルキレンからなる群の１種又はそれ以上から選ばれ、３５〜６５モル％の量で存在し；Ｒ4が１，４−ジ置換−Ｃ6アリールであり、３５〜６５モル％の量で存在する請求項１に記載の配合ブレンド。
【請求項９】
成分（Ｂ）の脂肪族−芳香族コポリエステルが酸残基部分及びジオール残基部分を含んでなり、前記酸残基部分がアジピン酸、グルタル酸、コハク酸、アゼライン酸及びそれらの混合物からなる群から選ばれた脂肪酸３０〜７５モル％並びにテレフタル酸、イソフタル酸、ナフタレンジカルボン酸及びそれらの混合物からなる群から選ばれた芳香族酸２５〜７０モル％を含んでなり；且つ前記ジオール残基部分が１，４−ブタンジオール、ヘキサンジオール及びそれらの混合物からなる群から選ばれた主たるジオール７０〜１００モル％並びにエチレングリコール、ジエチレングリコール、プロパンジオール、ネオペンチルグリコール、１，４−シクロヘキサンジメタノール及びそれらの混合物からなる群から選ばれた改質用ジオール０〜３０モル％を含んでなる請求項１に記載の配合ブレンド。
【請求項１０】
成分（Ｂ）の脂肪族−芳香族コポリエステルが、４０〜６０モル％の脂肪酸及び４０〜６０モル％の芳香族酸からなる酸残基部分並びに９０〜１００モル％の主たるジオール及び０〜１０モル％の改質用ジオールからなるジオール残基部分を含んでなる請求項９に記載の配合ブレンド。
【請求項１１】
成分（Ｂ）の脂肪族−芳香族コポリエステルが５５〜６０モル％の脂肪酸及び４０〜４５モル％の芳香族酸の酸残基部分並びに９５〜１００モル％の主たるジオール及び０〜５モル％の改質用ジオールのジオール残基部分を含んでなる請求項９に記載の配合ブレンド。
【請求項１２】
前記脂肪酸がアジピン酸であり、前記芳香族酸がテレフタル酸であり、前記の主たるジオールが１，４−ブタンジオールである請求項１１に記載の配合ブレンド。
【請求項１３】
（Ａ）（１）テレフタル酸６０〜１００モル％とイソフタル酸、アジピン酸、アゼライン酸、ナフタレンジカルボン酸、コハク酸、シクロヘキサンジカルボン酸及びそれらの混合物からなる群から選ばれた第２の酸０〜４０モル％を含む酸残基部分；並びに
（２）ｉ．  ジエチレングリコール０〜２０モル％；
ｉｉ．  １，４−シクロヘキサンジメタノール１０〜３５モル％；
ｉｉｉ．  ネオペンチルグリコール０〜２５モル％；
ｉｖ．  プロパンジオール０〜３０モル％；
ｖ．  １，４−ブタンジオール０〜３０モル％；及び
ｖｉ．  エチレングリコール残りのモル％
からなる１種又はそれ以上のジオール残基部分
からなるポリエステル５０〜９９重量％と、
（Ｂ）フェノール／テトラクロロエタンの６０／４０重量部溶液１００ｍｌ中で２５℃において０．５ｇのサンプルに対して測定したインヘレント粘度が０．２〜２．０デシリットル／ｇであり且つ式：
【化３】
2004536192.tif 000003
及び
【化４】
2004536192.tif 000004
（式中、Ｒ1は、Ｃ2〜Ｃ8アルキレン若しくはオキシルアルキレンからなる群の１種又はそれ以上から選ばれ、且つＲ1のモル％は８０〜１００であり；
Ｒ3は、Ｃ2〜Ｃ8アルキレン若しくはオキシルアルキレン；ハロ、Ｃ6〜Ｃ10アリール及びＣ1〜Ｃ4アルコキシからなる群から独立して選ばれた１〜４個の置換基で置換されたＣ2〜Ｃ8アルキレン若しくはオキシルアルキレン；Ｃ5〜Ｃ12シクロアルキレン；並びにハロ、Ｃ6〜Ｃ10アリール及びＣ1〜Ｃ4アルコキシからなる群から独立して選ばれた１〜４個の置換基で置換されたＣ5〜Ｃ12シクロアルキレンからなる群の１種又はそれ以上から選ばれ、且つＲ3のモル％は０〜２０であり；
Ｒ2は、Ｃ2〜Ｃ12アルキレン若しくはオキシアルキレン；ハロ、Ｃ6〜Ｃ10アリール及びＣ1〜Ｃ4アルコキシからなる群から独立して選ばれた１〜４個の置換基で置換されたＣ2〜Ｃ12アルキレン若しくはオキシルアルキレン；Ｃ5〜Ｃ10シクロアルキレン；並びにハロ、Ｃ6〜Ｃ10アリール及びＣ1〜Ｃ4アルコキシからなる群から独立して選ばれた１〜４個の置換基で置換されたＣ5〜Ｃ10シクロアルキレンからなる群の１種又はそれ以上から選ばれ、且つＲ2のモル％は３５〜９５であり；
Ｒ4は、Ｃ6〜Ｃ10アリール；ハロ、Ｃ6〜Ｃ10アリール及びＣ1〜Ｃ4アルコキシからなる群から独立して選ばれた１〜４個の置換基で置換されたＣ6〜Ｃ10アリール；Ｃ5〜Ｃ10シクロアルキレン；並びにハロ、Ｃ6〜Ｃ10アリール及びＣ1〜Ｃ4アルコキシからなる群から独立して選ばれた１〜４個の置換基で置換されたＣ5〜Ｃ10シクロアルキレンからなる群の１種又はそれ以上から選ばれ、且つＲ4のモル％は５〜６５である）
の反復単位を有する、本質的に直鎖のランダム脂肪族−芳香族コポリエステル又はその分岐鎖及び／若しくは連鎖延長コポリエステル１〜５０重量％
（前記各重量％は成分（Ａ）及び（Ｂ）の総重量に基づくものであり；成分（Ａ）のモル％は１００モル％の酸残基部分及び１００モル％のジオール残基部分に基づくものであり；成分（Ｂ）については、Ｒ1及びＲ3のモル％の和は１００であり且つＲ2及びＲ4のモル％の和は１００である）
を含むポリエステルと脂肪族−芳香族コポリエステルとの配合ブレンドからなる熱収縮性フィルム。
【請求項１４】
成分（Ａ）の酸残基部分がイソフタル酸、アジピン酸、アゼライン酸、ナフタレンジカルボン酸及びコハク酸からなる群から選ばれた酸０〜２０モル％及びテレフタル酸８０〜１００モル％を含んでなる請求項１３に記載の熱収縮性フィルム。
【請求項１５】
成分（Ａ）の酸残基部分がシクロヘキサンジカルボン酸０〜３０モル％及びテレフタル酸７０〜１００モル％を含んでなる請求項１３に記載の熱収縮性フィルム。
【請求項１６】
成分（Ａ）の酸残基部分がイソフタル酸、アジピン酸、アゼライン酸、ナフタレンジカルボン酸、コハク酸及びシクロヘキサンジカルボン酸からなる群から選ばれた酸０〜１０モル％並びにテレフタル酸９０〜１００モル％を含んでなる請求項１３に記載の熱収縮性フィルム。
【請求項１７】
成分（Ａ）のジオール残基部分が
ｉ．      ジエチレングリコール７〜１２モル％；
ｉｉ．    １，４−シクロヘキサンジメタノール１７〜２８モル％；
ｉｉｉ．  ネオペンチルグリコール０〜２モル％；
ｉｖ．    プロパンジオール０〜２モル％；
ｖ．      １，４−ブタンジオール０〜２モル％；及び
ｖｉ．    エチレングリコール、残りのモル％
を含んでなる請求項１４に記載の熱収縮性フィルム。
【請求項１８】
成分（Ａ）のジオール残基部分が１，４−シクロヘキサンジメタノール１０〜２８モル％及びジエチレングリコール７〜１２モル％を含み、残りのモル％がエチレングリコールである請求項１３に記載の熱収縮性フィルム。
【請求項１９】
成分（Ｂ）において、Ｒ1がＣ2〜Ｃ8アルキレンから選ばれ、９０〜１００モル％の量で存在し；Ｒ3が０〜１０モル％の量で存在し；Ｒ2がＣ2〜Ｃ8アルキレン又はオキシアルキレンからなる群の１種又はそれ以上から選ばれ、３５〜９５モル％の量で存在し；Ｒ4がＣ6〜Ｃ10アリールからなる群の１種又はそれ以上から選ばれ、５〜６５モル％の量で存在する請求項１３に記載の熱収縮性フィルム。
【請求項２０】
成分（Ｂ）において、Ｒ1がＣ2〜Ｃ4アルキレンから選ばれ、９５〜１００モル％の量で存在し；Ｒ3が０〜５モル％の量で存在し；Ｒ2がＣ2〜Ｃ6アルキレン又はＣ2オキシアルキレンからなる群の１種又はそれ以上から選ばれ、３５〜６５モル％の量で存在し；Ｒ4が１，４−ジ置換−Ｃ6アリールであり、３５〜６５モル％の量で存在する請求項１３に記載の熱収縮性フィルム。
【請求項２１】
成分（Ｂ）の脂肪族−芳香族コポリエステルが酸残基部分及びジオール残基部分を含んでなり、前記酸残基部分がアジピン酸、グルタル酸、コハク酸、アゼライン酸及びそれらの混合物からなる群から選ばれた脂肪酸３０〜７５モル％並びにテレフタル酸、イソフタル酸、ナフタレンジカルボン酸及びそれらの混合物からなる群から選ばれた芳香族酸２５〜７０モル％を含んでなり；且つ前記ジオール残基部分が、１，４−ブタンジオール、ヘキサンジオール及びそれらの混合物からなる群から選ばれた主たるジオール７０〜１００モル％並びにエチレングリコール、ジエチレングリコール、プロパンジオール、ネオペンチルグリコール、１，４−シクロヘキサンジメタノール及びそれらの混合物からなる群から選ばれた改質用ジオール０〜３０モル％を含んでなる請求項１３に記載の熱収縮性フィルム。
【請求項２２】
成分（Ｂ）の脂肪族−芳香族コポリエステルが４０〜６０モル％の脂肪酸及び４０〜６０モル％の芳香族酸の酸残基部分並びに９０〜１００モル％の主たるジオール及び０〜１０モル％の改質用ジオールのジオール残基部分を含んでなる請求項２１に記載の熱収縮性フィルム。
【請求項２３】
成分（Ｂ）の脂肪族−芳香族コポリエステルが、５５〜６０モル％の脂肪酸及び４０〜４５モル％の芳香族酸からなる酸残基部分並びに９５〜１００モル％の主たるジオール及び０〜５モル％の改質用ジオールからなるジオール残基部分を含んでなる請求項２１に記載の熱収縮性フィルム。
【請求項２４】
前記脂肪酸がアジピン酸であり、前記芳香族酸がテレフタル酸であり、前記の主たるジオールが１，４−ブタンジオールである請求項２３に記載の熱収縮性フィルム。
【手続補正２】
【補正対象書類名】明細書
【補正対象項目名】０００６
【補正方法】変更
【補正の内容】
【０００６】
現在のところ、収縮性に優れ、透明度が良好であり且つコストが低いという理由から、ＰＶＣが最も広く使用されている材料である。ポリエステルは既存の収縮トンネル装置上において、装置に大きな変更を加えることなく容易にＰＶＣに置き換えることができるように、ポリエステル収縮フィルムはＰＶＣフィルムと非常に類似した特性を有するのが理想的である。反復のために望ましいＰＶＣフィルムの特性は、以下の通りである：（１）比較的低い収縮開始温度、（２）温度の増加と共に徐々に且つ制御された方法で増加する全収縮率、（３）下に存在する容器の圧潰を防ぐ低収縮力、（４）高い全収縮率（例えば５０％又はそれ以上）並びに（５）収縮前後におけるフィルムの不必要な引き裂き及び層間剥離を防ぐような固有のフィルム靭性。